(57)【要約】本発明は、小型（ミニ）で貫通孔がない割出し可能な切削インサート（１４、１１４、２１４）に関し、前記切削インサート（１４）は、正確に３つの主切れ刃（５８、１５８、２５８）を備える。前記切削インサート（１４、１１４、２１４）は、全ての前記主切れ刃（５８、１５８、２５８）と接線方向にのみと接線接触する内接円（ＩＣ）を備え、前記内接円（ＩＣ）は、３．８ｍｍ未満の内接円直径（ＩＣＤ）を有する。また、本発明は、前記切削インサート（１４、１１４、２１４）と、前記切削インサート（１４、１１４、２１４）を固定するように構成され、寸法決めされたインサートポケット（１８）と、を備える切削工具（１２）にも関する。【選択図】図１
2020536751.tif 000002
【特許請求の範囲】
【請求項１】
小型で貫通孔がない割出し可能な切削インサート（１４、１１４、２１４）であって、前記切削インサート（１４）は正確に３つの主切れ刃（５８、１５８、２５８）を含み、
前記切削インサート（１４、１１４、２１４）は、全ての主切れ刃（５８、１５８、２５８）のみと接線接触する内接円（ＩＣ）を備え、前記内接円（ＩＣ）は、３．８ｍｍ未満の内接円直径（ＩＣＤ）を有する、切削インサート。
【請求項２】
前記内接円（ＩＣ）が、２．５〜３．８ｍｍの範囲の内接円直径（ＩＣＤ）を有する、請求項１に記載の切削インサート（１４、１１４、２１４）。
【請求項３】
前記切削インサート（１４、１１４、２１４）が、
対向するインサート頂面および底面（４８、１４８、２４８、５０）と、それらの間に延在するインサート外周面（５２）と、
前記インサート頂面および底面（４８、１４８、２４８、５０）を通る対称中心軸（ＣＡ）と、
前記対称中心軸（ＣＡ）に平行な測定で１〜２．５ｍｍの範囲にある最大インサート厚さ（ＭＩＴ）と、
を備える、請求項１または２に記載の切削インサート（１４、１１４、２１４）。
【請求項４】
前記インサート頂面（４８、１４８、２４８）の平面図において、前記主切れ刃（５８、１５８、２５８）が２〜４ｍｍの範囲の主切れ刃長さ（ＣＥＬ）を有する、請求項１〜３のいずれか一項に記載の切削インサート（１４、１１４、２１４）。
【請求項５】
前記切削インサート（１４、１１４、２１４）が、
対向するインサート頂面および底面（４８、１４８、２４８、５０）と、それらの間に延在するインサート外周面（５２）と、
前記頂面および底面（４８、１４８、２４８、５０）を通る対称中心軸（ＣＡ）と、
を備え、
前記切削インサート（１４）が前記対称中心軸（ＣＡ）に関して１２０°の回転対称性を有する、請求項１〜４のいずれか一項に記載の切削インサート（１４、１１４、２１４）。
【請求項６】
前記切削インサート（１４、１１４、２１４）が、頂縁および底縁（５４、８０）を備える対向するインサート頂面および底面（４８、１４８、２４８、５０）を備え、前記インサート頂面（４８）の平面図では、前記底縁（８０）のいかなる部分も見えない、請求項１〜５のいずれか一項に記載の切削インサート（１４、１１４、２１４）。
【請求項７】
前記切削インサート（１４、１１４、２１４）が、対向するインサート頂面および底面（４８、１４８、２４８、５０）と、前記頂面から外側に延在する当接突出部（５５）とを備える、請求項１〜６のいずれか一項に記載の切削インサート（１４、１１４、２１４）。
【請求項８】
前記切削インサート（１４、１１４、２１４）が、対向するインサート頂面および底面（４８、１４８、２４８、５０）と、主すくい面（１７０、２７０）から延在し、チップを偏向させるように構成された偏向器（５７）とを備える、請求項１〜７のいずれか一項に記載の切削インサート（１４、１１４、２１４）。
【請求項９】
前記切削インサート（１４、１１４、２１４）が、片面で、ポジティブであり、対向するインサート頂面および底面（４８、１４８、２４８、５０）を備え、前記インサート底面（５０）は、機械加工用に構成されておらず、切れ刃を備えない底縁（８０）を備える、請求項１〜８のいずれか一項に記載の切削インサート（１４、１１４、２１４）。
【請求項１０】
前記切削インサート（１４、１１４、２１４）が、ＰＣＤ製またはＰＣＢ製ではない、請求項１〜９のいずれか一項に記載の切削インサート（１４、１１４、２１４）。
【請求項１１】
前記切削インサート（１４、１１４、２１４）は、所定の大きさにプレス加工され、そのいかなる部分も表面も研削されていない、請求項１〜１０のいずれか一項に記載の切削インサート（１４、１１４、２１４）。
【請求項１２】
請求項１〜１１のいずれか一項に記載の切削インサート（１４、１１４、２１４）と、前記切削インサート（１４、１１４、２１４）を固定するように構成され、寸法決めされたインサートポケット（１８）と、を備える切削工具（１２）。
【請求項１３】
前記切削工具（１２）は、流体出口（９８）で前記少なくとも１つのインサートポケット（１８）に開口する流体チャネル（９６）を備える、請求項１２に記載の切削工具（１２）。
【請求項１４】
クランプねじ（７４）によって切削工具（１０）のインサートポケット（１８）に外部で固定された小型の孔なし割出し可能な切削インサート（１４、１１４、２１４）を割出しまたは交換する方法であって、前記方法は、
ａ．位置決め工具（１６、１１６、２１６、３１６）を提供するステップと、
ｂ．通常は摩耗した作動主切れ刃（５８、１５８、２５８）に関連する露出した、もしくはアクセス可能な主逃げ面（１７２）、または側部当接面（２５３）をインサート保持面（２８）と接触させ、それによって前記切削インサート（１４、１１４、２１４）を維持するステップと、
ｃ．前記クランプねじ（７４）を緩めて、前記切削インサート（１４、１１４、２１４）を前記インサートポケット（１８）から解放するステップと、
ｄ．前記切削インサート（１４、１１４、２１４）を前記位置決め工具（１６、１１６、２１６、３１６）で前記ポケット（１８）から取り外し、前記切削インサート（１４、１１４、２１４）を手で割出しまたは交換して、未使用切れ刃の主逃げ面（７２、１７２、２７２）が前記インサート保持面（２８）に取り付けられ、それによって維持されるようにするステップと、
ｅ．前記位置決め工具（１６、１１６、２１６、３１６）で前記割出しまたは交換された切削インサート（１４、１１４、２１４）を前記ポケット（１８）に挿入するステップと、
ｆ．前記クランプねじ（７４）を締めて、前記切削インサート（１４、１１４、２１４）を前記インサートポケット（１８）に固定するステップと、
を含む、方法。
【発明の詳細な説明】
【技術分野】
【０００１】
本出願の主題は、機械加工工具または切削工具に関する。具体的には、貫通クランプ孔がない小型で割出し可能な切削インサートを備えたマイクロ切削工具に関する。
【背景技術】
【０００２】
一般的に言えば、再使用可能な鋼製本体に固定された交換可能／消耗可能なインサートは、費用対効果がより高いので、工具本体に鋭利な切れ刃がビルトインされたワンピース切削工具と比較して好ましい。工具サイズ／直径スケールの下端側では、ワンピース工具が支配的であった。具体的には、これは特定のインサートサイズの場合に当てはまり、この場合、インサートのクランプ孔を通るファスナを介してポケットに固定することができないため、交換可能なインサートを使用することが非現実的になる（あるいは不可能にさえなる）。この主な理由は、特定のサイズの場合、クランプねじ（特にその頭部）が、標準的なドライバまたはレンチには小さすぎるからである。したがって、より小径の切削工具市場の少なくとも一部に対して、長期にわたって、交換可能な切削インサートを有する切削工具に対するニーズがあった。
【発明の概要】
【０００３】
本出願の主題の第一の態様によれば、小型で貫通孔がない割出し可能な切削インサートが提供される。この切削インサートは、正確に３つの主切れ刃を含み、全ての主切れ刃のみと接線接触する内接円を有する。
【０００４】
本出願の主題の第二の態様によれば、小型で割出し可能な孔なし切削インサートを保持および／または維持するように構成された位置決め工具が提供され、この位置決め工具は、細長い形状を有する外向きのインサート保持面を備え、
インサート保持面の形状は、切削インサートの側面の形状に対応する。
【０００５】
本出願の主題の第三の態様によれば、位置決め工具および小型の孔なし切削インサートを含む工具キットがさらに提供される。
【０００６】
本出願の主題の第四の態様によれば、インサートポケットを有する切削工具と、クランプねじを介してポケット内に外部で固定された小型の孔なし割出し可能な切削インサートと、位置決め工具とを含む工具キットがさらに提供される。
【０００７】
本出願の主題の第五の態様によれば、（通常、全ての切れ刃が摩耗したために）小型インサートを位置決め工具に交換する方法が提供され、この方法は、以下のステップ、すなわち、
ａ．インサート保持面を小型インサートの任意の部分に取り付けるステップと、
ｂ．ねじを緩めて、小型インサートをアンクランプまたは解放するステップと、
ｃ．インサートをポケットから引き出し、インサートをインサート保持面から取り外し、それを廃棄するステップと、
ｄ．インサート保持面を交換用切削インサートの未使用逃げ面に取り付けるステップと、
ｅ．交換用インサートをポケットに挿入し、ねじを締めるステップと、を含むことができる。
【０００８】
本出願の主題の第六の態様によれば、（通常、摩耗した切れ刃に起因して）小型インサートを位置決め工具で割り出す方法がさらに提供され、この方法は、以下のステップ、すなわち、
ａ．保持面を、通常は摩耗した作動主切れ刃に関連する露出した、またはアクセス可能な主逃げ面に取り付けるステップと、
ｂ．ねじを緩めて、小型インサートをアンクランプまたは解放するステップと、
ｃ．工具をインサートに取り付けるステップと、
ｄ．インサートをポケットから取り外し、未使用主逃げ面がインサート保持面に取り付けられるように、インサートを割り出すステップと、
ｅ．小型インサート１４をポケット１８に挿入し、ねじを締めるステップと、を含むことができる。
【０００９】
以下の特徴のいずれも、単独または組み合わせのいずれかで、本出願の主題の上記態様のいずれかに適用可能であり得る。
【００１０】
位置決め工具は、インサートを磁気的に維持するように構成された磁気または磁化インサート保持面を有してもよい。いくつかの実施形態では、位置決め工具は、自然磁石を含んでもよく、他の実施形態では、位置決め工具は、電磁石を含んでもよい。
【００１１】
位置決め工具は、インサートを静電的に維持するように構成された静電インサート保持面を有してもよい。
【００１２】
位置決め工具は、接触時にインサートが一時的に接着することができる粘着性インサート保持面を有してもよい。
【００１３】
インサート保持面は、伸長方向に伸長され、位置決め工具は、伸長方向（ＥＤ）に延在して対向する拡大把持面をさらに含むことができ、オペレータが位置決め工具を保持するときに把持して、向きの指示を与えるように構成される。
【００１４】
インサート保持面は、伸長方向に延在する２つの対向する主エッジと、主エッジ間に延在する２つのより短い副エッジとを有することができる。
【００１５】
工具本体は、位置決めヘッドから離れて延在する軸方向に伸長され、インサート保持面は、位置決めヘッドから軸方向外側に突出する最も外側の表面である。
【００１６】
小型インサートは、３つの角を有し、すなわち三角形であり、インサート保持面は、小型インサートの３つの主逃げ面のうちの１つと係合するように構成される。
【００１７】
インサート保持面は、対向し、同一で、１．８〜４．２ｍｍの範囲にある主エッジを含むことができる。
【００１８】
インサート保持面は、対向する主エッジを接続し、１．１〜２．４ｍｍの範囲にある副エッジを有する。
【００１９】
位置決め工具は、モジュール式とすることができ、工具本体の後方工具端部は、駆動工具に選択的に取り付けることも、取り外すこともできるように構成することができる。
【００２０】
位置決め工具は、位置決めヘッドに堅固に接続された弾性スリーブを有することができる。
【００２１】
工具本体は、位置決めヘッドから離れて延在する軸方向に伸長され、インサート保持面は、伸長方向に伸長され、軸方向に沿った図において、インサート保持面は、工具本体のフットプリントよりも小さなフットプリントを有する。
【００２２】
位置決めヘッドは、インサート保持面から後方に向かって延在し、発散する２つのヘッド面を含むことができる。
【００２３】
位置決め工具は、工具本体に堅固に接続され、把持を可能にし、トルク伝達を加えるように構成された非強磁性、非磁性の保持部分をさらに含むことができる。
【００２４】
切削インサートは、３つの主切れ刃と、３つの主切れ刃全てに接線接触する内接円を有する。
【００２５】
内接円は、２．５ｍｍ〜３．８ｍｍの範囲の内接円直径を有することができる。
【００２６】
内接円は、２．５ｍｍ〜３．２ｍｍの範囲の内接円直径を有することができる。
【００２７】
インサート保持面の形状は、切削インサートの主逃げ面の形状に対応する。
【００２８】
切削インサートは、
対向するインサート頂面および底面と、それらの間に延在するインサート外周面と、
頂面および底面を通る対称中心軸と、
対称中心軸に沿った測定で１ｍｍ〜２．５ｍｍの範囲にある最大インサート厚さと、
を含む。
【００２９】
切削工具は、流体出口で少なくとも１つのインサートポケットに開口する流体チャネルを含むことができる。
【００３０】
切削インサートは、２ｍｍ〜４ｍｍの範囲の主切れ刃長さを有する主切れ刃を有することができる。
【００３１】
切削インサートは、主すくい面から延在し、チップを偏向するように構成された偏向器を含むことができる。
【００３２】
切削インサートは、頂面および底面を通る対称中心軸を含み、切削インサートは、その周囲に１２０°の回転対称性を有する。
【００３３】
切削インサートは片面であり、対向するインサート頂面と底面を備える。そして、インサート底面は、機械加工のために構成されておらず、切れ刃を含まない底縁を有する。
【００３４】
切削インサートは、ＰＣＤ製またはＰＣＢ製ではない。
【００３５】
切削インサートは、所定の大きさにプレス加工することができ、そのいかなる部分も表面も研削されていない。
【００３６】
本出願の主題をより良く理解し、それが実際にどのように実行され得るかを示すために、添付の図面を参照する。
【図面の簡単な説明】
【００３７】
【図１】２つの小型の切削インサートを有する切削工具の第一の実施形態の等角半分解図である。
【図２】図１の切削工具の側面図である。
【図３】図１の切削工具の底部軸方向図である。
【図４】図１の小型インサートの側面図である。
【図５】図１の小型インサート頂面の上面図である。
【図６】２つの小型の切削インサートを有する切削工具の第二の実施形態の等角半分解図である。
【図７】図６の切削工具の側面図である。
【図８】図６の切削工具の底部軸方向図である。
【図９】図６の小型インサートの側面図である。
【図１０】図６の小型インサート頂面の上面図である。
【図１１】図２のＸＩ−ＸＩ線に沿った流体チャネルの断面図である。
【図１２】小型インサートと、ドライバ上に取り付けられたモジュール式の第一の位置決め工具の実施形態とを含む工具キットの等角図である。
【図１３】ドライバと一体化された第二の位置決め工具の実施形態の等角図である。
【図１４】図１３の第二の位置決め工具の実施形態の軸方向正面図である。
【図１５】図１２の第一の位置決め工具の実施形態の独立側面図である。
【図１６】駆動手段のない第三の位置決め工具の実施形態である。
【発明を実施するための形態】
【００３８】
適切であると考えられる場合、参照番号は、対応または類似する要素を示すために図面の間で繰り返すことがある。
【００３９】
以下の説明では、本出願の主題の様々な態様を説明する。説明を目的として、特定の構成および詳細は、本出願の主題の完全な理解を提供するために、十分に詳細に記載される。しかしながら、本出願の主題は、本明細書に提示される特定の構成および詳細がなくても実施できることは当業者には明らかであろう。
【００４０】
図１および図７に注目する。機械加工または切削工具１２は、切削工具１２のポケット１８内に固定された１つまたは複数の小型で孔なしの割出し可能な切削インサート１４を含む。
【００４１】
小型インサート１４は、割出し可能で、孔なしで、ポジティブで、３つの角を有し、すなわち三角形である。切削工具１２は、長手方向回転軸Ａを有する。
【００４２】
「小型（ｕｎｄｅｒｓｉｚｅｄ）」という用語は、現在入手可能な交換可能な「ワンピース」（すなわち、ろう付けされていない、あるいは２つ以上の主要部分から作製されていない）切削インサートよりも小さい切削インサート１４を説明する意味で使用される。別の言い方をすれば、これらの小型インサート１４は、あまりにも小さいので、２つの指先の間で、包み込まれることもあり、あるいは見えなくなることさえある。
【００４３】
本目的のために、インサートは、以下でさらに説明するように、１つまたは複数の所定のサイズおよび幾何学的基準を満たす場合、「小型」であると言われる。
【００４４】
切削工具１２は、任意選択で位置決め工具１６を備えることができる（図１２〜図１５）。これらの小型インサート１４の割出し、取付けまたは交換は、手作業で、また任意選択で、位置決め工具１６で行うことができる。これらのタスクは、以下でさらに説明するように、位置決め工具１６を２つの指と組み合わせて、使用して実施することもできる。
【００４５】
位置決め工具１６は、小型インサート１４を保持しても、切れ刃が見えるように（インサート１４を手で保持して、恐らく切れ刃が見えなくなるのとは対照的に）構成される。さらに、位置決め工具１６は、インサート１４を特定の向きに保持し、インサート１４をポケット１８内に正確に確実に固定し、位置決めするように、また摩耗した切れ刃を正確に識別するように構成される。例えば、切れ刃が摩耗した場合、オペレータは、インサート１４の摩耗した切れ刃に関連した逃げ面を介してインサート１４を位置決め工具１６とともに維持し、インサート１４をポケット１８から取り出し、位置決め工具１６に対するインサート１４の向きを変え、インサート１４を所望の向き（すなわち、使用されていない切れ刃が外側を向いている）でポケット１８に戻す。
【００４６】
したがって、本出願の主題の一実施形態によれば、位置決め工具１６は、位置決め工具１６と、切削工具１２と、１つまたは複数の小型インサート１４とを含む工具キット１０の一部として提供される。別の実施形態によれば、工具キット１０は、位置決め工具１６と小型インサート１４のみを含む。
【００４７】
図１２〜図１５に注目する。位置決め工具１６は、対向する前方工具端部２０および後方工具端部２２を有する。前方工具端部２０において、位置決め工具１６は、一体のワンピース構造を有する位置決めヘッド２４を有する。後方工具端部２２において、位置決め工具１６は、位置決めヘッド２４に堅固に恒久的に取り付けられた工具本体２６を含む。
工具本体２６は、プラスチック製、または適切な非磁化非強磁性材料製とすることができる。
【００４８】
位置決めヘッド２４は、細長い、好ましくは円筒形状を有する。位置決めヘッド２４は、前方工具端部２０に位置し、軸方向外側を向くインサート保持面２８を有する。
【００４９】
本発明の目的のために、「インサート保持面」は、インサート１４の表面に引力を加えることによって、小型インサートを維持するものである。インサート保持面２８は、インサート１４を維持するために、磁力または静電力などの引力に依存する。あるいは、インサート保持面は、接触時にインサート１４に一時的に接着する粘着性表面とすることもできる。
【００５０】
インサート保持面２８は、位置決めヘッド２４から軸方向外側に突出する。換言すれば、インサート保持面２８は、その軸方向における位置決めヘッド２４の最も外側の部分である。これは、干渉を伴わずにインサート１４をより良好に保持し、その向きをより良好に画定して、見るのに有利である。インサート保持面２８は、小型インサート１４と係合して保持するように構成される。したがって、インサート保持面２８は、小型インサート１４の側面または外周側面の形状に合致または対応するように構成された非対称形状を有する（一般に、ほとんどのインサートは、細長い側面または外周側面を有する）。具体的には、少なくともインサートの逃げ面の平面図（これは、対称形状がかなり一般的であるインサートのすくい面の図とは対照的である）において、インサートは細長い形状を有する。
【００５１】
好ましい実施形態では、以下でさらに説明するように、引力は磁力である。したがって、位置決め工具１６は、磁気インサート保持面２８を設けた位置決めヘッド２４を有する磁気位置決め工具１６である。このような実施形態では、ヘッド２４およびインサート保持面２８は、自然磁性材料から形成される磁場、または強磁性材料から形成される磁場のいずれかを発生する。加えて、いくつかの実施形態では、磁気位置決め工具１６は、電磁石を備えてもよい。
【００５２】
図１４に注目する。平面図において、磁気インサート保持面２８は、閉じた細長い形状を有する周縁を有し、これが、伸長方向ＥＤを画定する。換言すれば、第一の方向（伸長方向ＥＤ）で、磁気インサート保持面２８の形状は、伸長方向ＥＤに垂直な第二の方向における最大寸法よりも大きい最大寸法を有する。磁気インサート保持面２８の形状は、小型インサート１４の側面に対応または合致する。具体的には、小型インサート１４は、取り付けられた位置において（磁気インサート保持面２８が小型インサートの側面に接触しているとき）、引力によって伸長方向ＥＤ（図１４に見られるように）と整合し、対応する。「対応する」という語は、磁気インサート保持面２８の形状と、小型インサート１４の側面の形状との間の幾何学的形状の類似性（例えば、１つの形状が矩形である場合、その対応する形状は丸くないこと）を示す意味で使用される。このことは、磁気インサート保持面２８を、小型インサート１４の任意の側面もしくは側部外周面、または逃げ面８２に十分に接近させるときに、（主に磁気インサート保持面２８の境界内の）磁気引張力が、磁気インサート保持面２８の向きに合致または対応するように、インサート１４の向きを変えることができるので、有利である。
【００５３】
さらに、磁気位置決め工具１６は、対向する把持面３２を含む保持部分３０を含み、把持面３２は、オペレータ用グリップを提供し、磁気位置決め工具１６にトルクを容易に加えることが可能にする。保持部分３０は、磁気インサート保持面２８から後方に離れて位置する。対向する把持面３２は、伸長方向ＥＤに延在する。把持面３２は、伸長方向ＥＤに対して平行とすることができる。この特徴は、オペレータが、磁気インサート保持面２８の向き、続いて、小型インサート１４の向きを簡単に確立すること、あるいは容易に推定することができるので、有利である。
【００５４】
磁気インサート保持面２８は、位置決めヘッド２４の軸方向断面と比較したとき、同じ面積、またはより小さい面積を有する。換言すれば、磁気インサート保持面２８は、磁気位置決め工具１６の軸方向図において、または磁気インサート保持面２８の平面図において、磁気位置決め工具１６の最小のフットプリントを有する。
【００５５】
図１４に再び注目する。例えば、磁気インサート保持面２８は、伸長方向ＥＤに延在する一対の対向する主エッジ３６と、一対の対向する副エッジ３８（直線でなくてもよい）とを有するほぼ矩形の形状を有することができる。位置決めヘッド２４はヘッド面３４を含むことができ、それぞれのヘッド面３４はそれぞれの主エッジ３６から延在する。ヘッド面３４は、磁気インサート保持面２８から離れて発散する。ヘッド面３４は、平坦であってもよく、オペレータが、電流磁気的に保持されたミニインサート１４の正しい向きおよび割出し位置を確立することを支援するように構成される（特に、オペレータがインサート１４を割り出しているとき）。
【００５６】
本出願の主題によれば、磁気位置決め工具１６は、３つの磁気位置決め工具の実施形態を有することができる。
【００５７】
図１２および図１５に注目する。第一の磁気位置決め工具の実施形態によれば、磁気位置決め工具１１６は、モジュール式であり、ほとんどのドライバ４２または工具に堅固に取り付け／再取り付けすることができる。具体的には、後方工具端部２２は、ドライバ後端部４４（非駆動端部）の上／中に取り付けられように、あるいはクランプされるように構成される。例えば、後方工具端部２２は、非磁性非強磁性結合部分またはスリーブ４０を含むことができ、この部分またはスリーブ４０は、磁気工具１１６を、例えば、ドライバ４２のような別の工具に結合するように、あるいは取り付けるように構成される。
【００５８】
図１３および図１４に注目する。第二の磁気位置決め工具の実施形態によれば、磁気位置決め工具２１６は、ドライバ４２、具体的にはドライバ後端部４４（すなわち、その非駆動端部）の一体パーツである位置決めヘッド２４を有する。磁気工具２１６は、例えば、接着され、専用の凹部内に押し込まれることも、あるいはドライバ後端部４４の中または上にねじ込まれることもできる。
【００５９】
図１６に注目する。第三の磁気位置決め工具の実施形態によれば、磁気位置決め工具３１６は、独立した工具であり、この工具は、上記で開示したように、オペレータがインサート１４を位置決めし、保持し、割り出すのを支援するためにのみ構成されている。この実施形態によれば、磁気工具３１６は、Ｔｏｒｘ(登録商標）インターフェース／キーなどの駆動手段を含まない。磁気位置決め工具３１６は、後部工具端部３２２に保持部分３３０を含む。
【００６０】
小型インサート１４は、典型的には、バインダ内で炭化物粉末を押圧して焼結することにより、超硬合金のような極めて硬質で耐摩耗性のある材料から作られる。また、超硬合金は、例えば、炭化タングステンであってもよい。切削インサート１４は、コーティングされていても、コーティングされていなくてもよい。小型インサート１４は、好ましくは、ＰＣＤ（多結晶ダイヤモンド）製またはＰＣＢ（多結晶ホウ素）製ではない。小型インサート１４は、消磁されていないことが好ましい。しかしながら、試験中、磁気位置決め工具１６は、十分に機能し、消磁されたインサートでさえも適切に保持された。
【００６１】
インサート１４は、好ましくは、所定の大きさにプレスされる。換言すれば、インサート１４のいかなる部分も表面も研削されない。これは、生産効率の点でも費用効果の点でも実質的な利点である。さらに、本質的にコストのかかる研削加工の他に、より大きなインサートと比較して、これらの小型の「ナノ」インサートを研削する場合、さらなるコストが発生する。インサートサイズに問題があるために、たとえ、開発されたとしても、研削する必要のあるこれらのインサートを保持することができる機械は、かなり高価であり、信頼性の問題を起こしやすいことが見出された。
【００６２】
小型インサート１４は、対向するインサート頂面４８および底面５０と、それらの間に延在するインサート外周面５２とを有する。インサート１４は、インサート頂面および底面４８、５０を通る対称中心軸ＣＡに関して１２０°の回転対称性を有する。したがって、インサート１４は、その対称中心軸ＣＡの周りで三方向に割出し可能である。インサート１４は、仮想的な中間面ＭＰを有し、中間面ＭＰは、中心軸ＣＡに対して垂直で、インサート頂面４８と底面５０との中間に位置し、インサート外周面５２と交差する。インサートの最大厚さＭＩＴは、インサートの頂面４８と底面５０の外側端部の間で、中心軸ＣＡに平行な方向に測定される。最大インサート厚さＭＩＴは、好ましくは、１．０〜２．５ｍｍの範囲である。
【００６３】
インサート頂面４８は、外周頂縁５４を有する。頂縁５４は、ワークピース上で作動するように構成された正確に３つの作動部分５６を含む。以下でさらに開示されるように、各作動部分５６は、例えば、主切れ刃５８、コーナー切れ刃６０、および／または傾斜切れ刃６２を含むことができる。各作動部分５６は、また、材料を除去するためではなく、むしろワークピースの表面品質を円滑化または改善するために構成されたワイパー縁部６４を含むこともできる。インサート頂面４８は、インサート１４の側面図（図４および図９）において、頂縁５４を越えて突出する少なくとも１つの当接突出部５５を含むことができる。突出部は、中間面ＭＰに関して、インサート頂面４８の任意の他の部分よりもさらに外側に延在する。各当接突出部５５は、偏向面、または偏向器５７を含む。
【００６４】
各主切れ刃５８は、２〜４ｍｍの範囲の主切れ刃長さＣＥＬを有することができる。
【００６５】
インサート頂面４８は、インサート１４をポケット１８内に固定するためのねじ７４と当接係合するように構成された頂部当接面６８を含む。各頂部当接面６８は、ねじ７４と係合するように構成された正確に３つの頂部当接サブ面７６を含む。頂部当接面６８は、その上面図（図５および図１０）において三角形の形状を有することができる。頂部当接面６８は、インサート１４の向きに対するねじ７４の向きに応じて、また次に、切削工具１２に対するインサート１４の向きに応じて（例えば、図１０に見られるように）、インサート頂面４８に対して中心軸ＣＡの周りで回転させることができる。
【００６６】
インサート頂面４８は、主すくい面７０を含む。各主すくい面７０は、頂縁５４と当接突出部５５との間に配置することができる。各主すくい面７０は、それぞれの主切れ刃５８から延在し、当接突出部５５上のそれぞれの偏向器５７と合流することができる。換言すれば、各偏向器５７は、それぞれのすくい面７０よりも中心軸ＣＡから遠くに位置し、頂部当接面６８よりも中間面ＭＰに近くに位置する。
【００６７】
図５および図１０に注目する。本実施形態によれば、インサート頂面４８の上面図または平面図において、インサート１４は、例えば、正三角形でない形状を有することも、あるいは正三角形の形状を有することもできる。内接円ＩＣは、頂縁５４の３つの同一の主切れ刃５８の間に画定される（または接する）。内接円ＩＣは、２．５〜３．８ｍｍの範囲、好ましくは２．５〜３．２ｍｍの範囲の内接円直径ＩＣＤを有する。
【００６８】
上述の内接円直径ＩＣＤの範囲は、適切で機能的クランプ孔（すなわち、使用可能なねじ頭部サイズを有する適切／使用可能なねじを収容することができる）のための余地を残さないが、それでも、適切なインサート構造を維持する。換言すれば、小さすぎるインサートは、弱くなりすぎて使用不能になる可能性があり、および／またはクランプ孔は、小さすぎて切削インサートをポケット内に固定するのに適していないねじのみを収容することになる。したがって、これらのインサート１４は、クランプ孔、および他のいずれの開口部をも有さず、したがって、「孔なし」であると見なされる。クランプ孔を有さないことは、少なくとも、インサートがより堅牢であるために有利であり、製造プロセスは、孔を有するインサートと比較して安価である（粉末をプレスすることにより、貫通クランプ孔を作成するための余分なパンチが不要である）。
【００６９】
インサート底面５０は、底部当接面７８を含む。底部当接面７８は、好ましくは平坦である。インサート底面５０は、単一の平面内に位置することができる底縁８０を有する。底縁８０は、いかなる種類の機械加工または切削に対しても構成されない。したがって、インサート１４は片面または一面である。インサート底面５０は、底部当接面７８の中央に位置する凹部を含むことができ、これにより、底部当接面７８とポケット１８内のそれぞれの当接面との間の係合規定（当分野で知られるような三点係合）を改善することができる。
【００７０】
インサート外周面５２は、頂縁５４から延在し、底縁８０に向かって（中心軸ＣＡに近づくにつれて）収束する。さらに、インサート頂面４８の上面図（図５および図１０）では、底縁８０のいかなる部分も見えない。したがって、インサート１４は、当分野ではポジティブインサート１４として、またはポジティブ切削形状を有するインサートとして知られているように、画定される。これらの小型インサートは、特にこれらのインサートが所定の大きさにプレス加工された幾何学的形状および切れ刃を有するので、製造およびプレスがより簡単なポジティブな切削幾何学的形状を有する。
【００７１】
したがって、小型インサート１４は、凹部、窪み、および他の構成を備えた頂面および／または底面を有し得るが、クランプ要素が通過し、かつインサートをポケットに固定することのできる貫通孔を欠いている限り、依然として「孔なし」と考えられることに留意されたい。
【００７２】
図１〜図５に注目する。第一のインサートの実施形態によれば、小型インサート１４は、当分野で知られているような高送り切削インサート１１４である。各作動部分１５６は、（図５に見られるように、インサート頂面１４８の平面図において）コーナー切れ刃１６０に接続されている主切れ刃１５８に横方向に接続された傾斜切れ刃１６２を含む。作動部分１５６は、傾斜切れ刃１６２と主切れ刃１５８とを接続する副コーナー切れ刃１６６を含むことができる。各傾斜切れ刃１６２は、傾斜すくい面１８４と傾斜逃げ面１８６との間の交点に形成される。各主切れ刃１５８は、主すくい面１７０と主逃げ面１７２との交点に形成される。主逃げ面１７２は、好ましくは平坦であり、また、以下に説明するように、磁気位置決め工具１６のインサート保持面２８およびポケットのそれぞれの壁と当接するように構成される。各コーナー切れ刃１６０は、コーナーすくい面１８８とコーナー逃げ面１９０との交点に形成される。すくい面のそれぞれは、インサート頂面１４８上に形成される。逃げ面のそれぞれは、インサート外周面１５２に形成される。
【００７３】
第一のインサートの実施形態によれば、主切れ刃長さＣＥＬは２．５ｍｍに等しく、内接円直径ＩＣＤは３．０ｍｍに等しい。
【００７４】
図６〜図１０に注目する。第二のインサートの実施形態によれば、小型インサート１４は、当分野で知られているように、ショルダリングインサート２１４である。ショルダリングインサートは、１〜２°の公差内でワークピース内の直角肩部をフライス加工するように構成されている。各作動部分２５６は、主切れ刃２５８と、ワイパー刃２６４と、それらの間に延在するコーナー切れ刃２６０とを含む。各作動部分２５６は、また、ワイパー刃２６４と隣接する作動部分２５６の主切れ刃２５８との間に延在する傾斜切れ刃２６２を含むことができる。換言すれば、第一の作動部分２５６の傾斜切れ刃２６２は、隣接する第二の作動部分２５６の主切れ刃２５８の一部であり、同じ向きを有し、連続している。したがって、用途によって、より深い肩部が必要とされる場合、「延長された主切れ刃」２５８は、単に、より深い切削深さを画定することによって達成することができる。このような場合、オペレータは、第一の作動部分２５６の傾斜切れ刃２６２と第二の作動部分２５６の主切れ刃２５８との合計長さ全体を使用することを決定して、前記延長された主切れ刃２５８を達成することができる。各主切れ刃２５８は、主すくい面２７０と主逃げ面２７２との交点に形成される。各傾斜切れ刃２６２は、傾斜すくい面２８４と傾斜逃げ面２８６との間の交点に形成される。各コーナー切れ刃２６０は、コーナーすくい面２８８とコーナー逃げ面２９０との交点に形成される。すくい面のそれぞれは、インサート頂面２４８上に形成される。逃げ面のそれぞれは、インサート外周面２５２に形成される。外周面２５２は、ワイパー逃げ面２６５をさらに含み、そのそれぞれは、それぞれのワイパー刃２６４から延在する。外周面２５２は、各主逃げ面２７２の間を底縁８０に向かって延在する側部当接面２５３をさらに含む。
【００７５】
第二のインサートの実施形態によれば、主切れ刃長さＣＥＬは２．８ｍｍに等しく、内接円直径ＩＣＤは２．８ｍｍに等しい。
【００７６】
図１および図６に注目する。切削工具１２は、切削本体９１と、そこから延在し、少なくとも２つのポケット１８を含む切削部分９２とを有する。１つまたは複数のポケット１８は、半径方向に向けられたポケットまたは半径方向ポケット１８として当分野で知られているものである。したがって、インサート１４は、半径方向インサートとも呼ばれる。
【００７７】
各ポケット１８は、ポケット基部表面９３と、そこから延在する２つのポケット壁９４とを有することができる。ポケット壁９４は、ポケット基部表面９３に対して垂直にすることもできる。第一のインサートの実施形態によれば、２つのポケット壁１９４は、（図１に見られるように）回転軸Ａにほぼ平行な方向に内側に収束する。第二のインサート２１４の実施形態によれば、２つのポケット壁２９４は、（図６に見られるように）回転軸Ａに直角な方向に内側に収束する。
【００７８】
各ポケット１８は、これらの小型の孔なしインサート１４を固定するくさび型配置を含む。インサート１４は、インサート１４自体のシンプルで迅速で費用対効果の高い交換または割出し（アダプタまたはシムなしで）を保証するために、切削工具１２または任意の種類のアダプタ／カートリッジの任意の他の部分に、いかなる方法でも接着されることも、あるいはろう付けされることもない。各ポケット１８は、インサート１４を通すことなく、切削工具１２内のねじ孔９５にねじ込まれるねじ７４を含む。ねじ孔９５は、ポケット基部表面９３には配置されていない。ねじ７４は、インサート１４に直接接触し、ポケット基部表面９３に対してインサート１４を押し付けるように構成される（すなわち、インサート１４は、それらの間にくさび留めされる）。ねじ７４は、また、インサート１４を、ポケット１８内にインサート１４を配置するポケット壁９４に向かって、それに対して引っ張る。第一のインサートの実施形態によれば、少なくとも１つの主逃げ面１７２は、それぞれのポケット壁１９４に当接する。第二のインサートの実施形態によれば、少なくとも１つの側部当接面２５３は、それぞれのポケット壁２９４に当接する。ねじ７４を締めると、ねじ７４は頂部当接面６８に係合し、具体的には、ねじ７４は、頂部当接サブ面７６のうちの１つに当接する。
【００７９】
各ポケット１８は、切削本体９１に沿って延在し、流体出口９８でポケット１８に開口する内部流体チャネル９６をさらに含むことができる。流体出口は、ねじ孔９５に隣接して配置することができる。流体チャネル９６および流体出口９８は、ねじ孔９５から分離されている。流体チャネル９６は、２つのポケット壁９４の間に配置することができる。
【００８０】
トルクドライバは周知であり、ときどき、本分野の工具（すなわち、小さなねじを含むミニ切削工具）とともに使用するために供給／推奨される。というのも、前記小径のファスナは、かなり容易に損傷することも、あるいは破損することもあるからである。これらのトルクドライバは、それぞれのねじサイズにトルクを加えるとき、オペレータが推奨トルク限界を超えることを防止するように較正されたトルク制限機構を含む。
【００８１】
標準／正規ドライバ４２、すなわちトルクドライバは、対向するドライバ前端部４３および後端部４４と、それらの間に延在するドライバ本体４６とを含む。ドライバ４２は、ドライバ回転軸ＤＲＡを有する。ドライバ前端部４３は、ＴＯＲＸ（登録商標）のようなキーまたはトルク伝達形状を含む。ドライバ本体４６は、把持を提供するように構成されたドライバ保持部分３０を含む。ドライバ保持部分３０は、その２つの対向する側面の一方または両方のいずれかで、ドライバ回転軸ＤＲＡから離れる方向に半径方向外側に延在することができる。
【００８２】
（通常、全ての切れ刃が摩耗したために）小型インサート１４、１１４、２１４を磁気位置決め工具１６、１１６、２１６、３１６に交換する方法は、以下のステップ、すなわち、
ａ．インサート保持面２８を小型インサート１４、１１４、２１４の任意の部分に取り付けるステップと、
ｂ．ねじ７４を緩めて、小型インサート１４、１１４、２１４をアンクランプまたは解放するステップと、
ｃ．インサート１４、１１４、２１４をポケット１８から引き出し、インサート１４、１１４、２１４をインサート保持面２８から取り外し、それを廃棄するステップと、
ｄ．インサート保持面２８を、交換用切削インサート１４、１１４、２１４の未使用主逃げ面１７２または側部当接面２５３に取り付けるステップと、
ｅ．交換用インサート１４、１１４、２１４をポケット１８に挿入し、ねじ７４を締めるステップと、
を含むことができる。
【００８３】
磁気位置決め工具１６、１１６、２１６、３１６を用いて、（通常、摩耗した切れ刃に起因して）小型インサート１４、１１４、２１４を割り出す方法は、以下のステップ、すなわち、
ａ．磁気保持面２８を、通常は摩耗した作動主切れ刃５８、１５８、２５８に関連する露出した、もしくはアクセス可能な主逃げ面１７２、または側部当接面２５３に取り付けるステップと、
ｂ．ねじ７４を緩めて、小型インサート１４、１１４、２１４をアンクランプまたは解放するステップと、
ｃ．磁気工具１６、１１６、２１６、３１６をインサート１４、１１４、２１４に取り付けるステップと、
ｄ．インサート１４、１１４、２１４をポケット１８から取り外し、未使用主逃げ面１７２、２７２がインサート保持面２８に取り付けられるように、インサートを割り出すステップと、
ｅ．小型インサート１４をポケット１８に挿入し、ねじ７４を締めるステップと、
を含むことができる。
【図１】
2020536751.tif 000003
【図２】
2020536751.tif 000004
【図３】
2020536751.tif 000005
【図４】
2020536751.tif 000006
【図５】
2020536751.tif 000007
【図６】
2020536751.tif 000008
【図７】
2020536751.tif 000009
【図８】
2020536751.tif 000010
【図９】
2020536751.tif 000011
【図１０】
2020536751.tif 000012
【図１１】
2020536751.tif 000013
【図１２−１３】
2020536751.tif 000014
【図１４】
2020536751.tif 000015
【図１５】
2020536751.tif 000016
【図１６】
2020536751.tif 000017
【国際調査報告】
2020536751.tif 000018
2020536751.tif 000019
2020536751.tif 000020